(57)【特許請求の範囲】
【請求項１】
携帯型メモリに記憶された情報を用いて処理を実行することのできる投写型表示装置であって、
前記携帯型メモリに記憶された情報を読み出すメモリ制御装置と、
前記携帯型メモリから読み出された前記投写型表示装置における一連の処理手順を示す処理プログラムに含まれる命令に従って、前記携帯型メモリ内に記憶された複数の画像データの少なくとも１つを用いて、表示すべき画像を表す表示画像データを準備すると共に、前記処理プログラムに含まれる命令に従って、電力供給回路の制御を含む前記投写型表示装置の制御を行う処理実行部と、
前記表示画像データに応じた画像光を形成するための電気光学装置と、
前記画像光を投写することにより画像を表示する光学系と、
を備えることを特徴とする投写型表示装置。
【請求項２】
請求項１記載の投写型表示装置であって、
前記処理実行部は、
前記処理プログラムに含まれる命令に従って、前記携帯型メモリに記憶された情報に基づき音声を再生する、投写型表示装置。
【請求項３】
請求項１または２記載の投写型表示装置であって、
前記処理実行部は、
前記処理プログラムに含まれる命令に従って、外部から供給される外部供給画像データと、前記携帯型メモリから読み出される画像データと、のうちの一方を選択し、選択された画像データを用いて前記表示画像データを準備する、投写型表示装置。
【請求項４】
請求項１ないし３のいずれかに記載の投写型表示装置であって、さらに、
少なくとも１つの装飾画像データを記憶する装飾画像メモリを備え、
前記処理実行部は、
前記処理プログラムに含まれる命令に従って、前記携帯型メモリから読み出される画像データまたは前記外部供給画像データと、前記装飾画像データと、を合成することによって、前記表示画像データを準備する、投写型表示装置。
【請求項５】
請求項１ないし４のいずれかに記載の投写型表示装置であって、
前記処理実行部は、さらに、
前記処理プログラムを編集する処理プログラム編集部を備え、
前記メモリ制御装置は、前記処理プログラム編集部を用いて編集された処理プログラムを前記携帯型メモリに書き込む機能を有する、投写型表示装置。
【発明の詳細な説明】
【０００１】
【発明の属する技術分野】
この発明は、画像を投写して表示する投写型表示装置の技術に関する。
【０００２】
【従来の技術】
投写型表示装置は、パーソナルコンピュータから供給された画像を投写スクリーン上に拡大して表示できることから、プレゼンテーションに用いられることが多い。プレゼンテーションでは、例えば、複数のプレゼンテーションシート（「スライド」とも呼ばれる）が、順次、切り替えられて（ページ送り）表示される。
【０００３】
【発明が解決しようとする課題】
従来の投写型表示装置を用いたプレゼンテーションでは、プレゼンテーションシートの切り替えは、ユーザが行っていた。すなわち、プレゼンテーションシートの切り替えは、ユーザが、コンピュータにおいてキー入力したりすることによって行っていた。このように、従来の投写型表示装置は、コンピュータを接続しなければ、用いることができなかった。
【０００４】
この発明は、従来技術における上述の課題を解決するためになされたものであり、コンピュータを接続しない状態でも、投写型表示装置によって画像を投写表示することのできる技術を提供することを目的とする。
【０００５】
【課題を解決するための手段およびその作用・効果】
上述の課題の少なくとも一部を解決するため、本発明の投写型表示装置は、携帯型メモリに記憶された情報を用いて処理を実行することのできる投写型表示装置であって、
前記携帯型メモリに記憶された情報を読み出すメモリ制御装置と、
前記携帯型メモリから読み出された前記投写型表示装置における一連の処理手順を示す処理プログラムの命令に従って、前記携帯型メモリ内に記憶された複数の画像データの少なくとも１つを用いて、表示すべき画像を表す表示画像データを準備する画像処理部と、
前記表示画像データに応じた画像光を形成するための電気光学装置と、
前記画像光を投写することにより画像を表示する光学系と、
を備えることを特徴とする。
【０００６】
この投写型表示装置は、メモリに記憶された処理プログラムの命令に従って、メモリに記憶された画像データを用いて画像を表示することができる。したがって、コンピュータを接続しない状態でも、投写型表示装置における一連の処理を自動的に実行して、画像を投写表示することが可能となる。
【０００７】
上記投写型表示装置において、
前記画像処理部は、
前記処理プログラムの命令に従って、前記投写型表示装置の制御を行うことが好ましい。
【０００８】
こうすれば、処理プログラムに従って、投写型表示装置の種々の制御を実行することができる。例えば、ハードウェア回路のスリープ状態やスタンバイ状態などを制御することが可能となる。
【０００９】
また、上記投写型表示装置において、
前記投写型表示装置の制御は、電力供給回路の制御を含むようにしてもよい。
【００１０】
この装置では、電源供給回路を制御することによって、投写型表示装置のスリープ状態やスタンバイ状態などを制御することが可能となる。
【００１１】
上記投写型表示装置において、
前記携帯型メモリに記憶された情報に基づき音声を再生するように構成してもよい。
【００１２】
こうすれば、携帯型メモリに記憶された音声データにより、人の会話あるいは効果音を再生することができる。
【００１３】
上記投写型表示装置において、
前記画像処理部は、
外部から供給される外部供給画像データと、前記携帯型メモリから読み出される画像データとのうちの一方を、前記処理プログラムに含まれる選択命令に従って選択し、選択された画像データを用いて前記表示画像データを準備するようにしてもよい。
【００１４】
この装置においては、メモリ内に記憶された画像データのみでなく、外部の画像供給装置等から供給される外部供給画像データを用いることができる。このような場合にも、処理プログラムの命令に従って画像データを選択して表示することが可能である。
【００１５】
さらに、上記投写型表示装置において、
少なくとも１つの装飾画像データを記憶する装飾画像メモリを備え、
前記画像処理部は、
前記携帯型メモリから読み出される画像データまたは前記外部供給画像データと、前記装飾画像データとを、前記処理プログラムに含まれる合成命令に従って合成することによって、前記表示画像データを準備するようにしてもよい。
【００１６】
こうすれば、携帯型メモリから読み出される画像データや外部供給画像データによって表される画像に装飾効果を施すことが可能となる。
【００１７】
上記投写型表示装置において、
前記画像処理部は、さらに、
前記処理プログラムを編集する処理プログラム編集部を備え、
前記メモリ制御装置は、前記処理プログラム編集部を用いて編集された処理プログラムを前記携帯型メモリに書き込む機能を有するようにしてもよい。
【００１８】
こうすれば、投写型表示装置においてメモリ内の処理プログラムを編集することができるので、処理プログラムを手直ししたい場合に便利である。
【００１９】
【発明の他の態様】
この発明は、以下のような他の態様も含んでいる。第１の態様は、携帯型メモリに記憶された情報を用いて処理を実行することのできる、電気光学装置を備えた投写型表示装置における画像の表示方法であって、
前記携帯型メモリに記憶された情報を読み出す工程と、
前記携帯型メモリから読み出された前記投写型表示装置における一連の処理手順を示す処理プログラムの命令に従って、前記携帯型メモリ内に記憶された複数の画像データの少なくとも１つを用いて、表示すべき画像を表す表示画像データを準備する工程と、
前記表示画像データに応じて、前記電気光学装置に画像光を形成させる工程と、
前記画像光を投写することにより画像を表示する工程と、
を備えることを特徴とする表示方法である。
【００２０】
この方法も用いる場合にも、上記の装置と同様の作用・効果を有し、コンピュータを接続しない状態でも、投写型表示装置における一連の処理を自動的に実行して、画像を投写表示することが可能となる。
【００２１】
【発明の実施の形態】
Ａ．第１実施例：
次に、本発明の実施の形態を実施例に基づき説明する。図１は、本発明の第１実施例としての投写型表示装置を示す説明図である。この投写型表示装置１は、パーソナルコンピュータやビデオレコーダなどの画像供給装置を接続するための接続端子２と、メモリカード４２を装着するためのメモリスロット３とを備えている。メモリカード４２には、投写型表示装置１における一連の処理手順を記録した処理プログラムが含まれている。投写型表示装置１は、メモリカード４２が装着されると、メモリカード４２に記録された処理プログラムを読み出し、処理プログラムに従って処理を実行して、スクリーン１０４に画像を投写して表示する。
【００２２】
なお、処理プログラム等を記録する記録媒体としては、図１に示すメモリカード４２に限られず、フレキシブルディスクや、光磁気ディスクなどのような書き換え可能な種々の携帯型記録媒体を利用できる。
【００２３】
図２は、第１実施例における投写型表示装置の全体構成を示すブロック図である。本実施例における投写型表示装置は、画像処理回路１０と、液晶パネル駆動回路１４と、液晶パネル１６と、ＣＰＵ２０と、フレームメモリ２２と、リモコン制御部３０と、メモリ制御装置４０と、スピーカ５０と、ランプ１０１を含む照明光学系１００と、投写光学系１０２とを備えている。画像処理回路１０と、ＣＰＵ２０と、リモコン制御部３０と、メモリ制御装置４０とは、バス２０ａによって互いに接続されている。また、液晶パネル駆動回路１４もバス２０ａに接続されているが、図２ではその接続を省略している。液晶パネル１６は、照明光学系１００によってほぼ均一に照明されており、液晶パネル１６に形成された画像光は、投写光学系１０２によってスクリーン１０４上に投写される。なお、図２においては、光学系１００，１０２は簡略化されている。
【００２４】
本実施例の画像処理回路１０と、液晶パネル駆動回路１４と、ＣＰＵ２０と、フレームメモリ２２と、リモコン制御部３０とが、本発明における画像処理部に相当する。また、液晶パネル１６が、本発明における電気光学装置に相当する。
【００２５】
画像処理回路１０は、ＣＰＵ２０からの指令に従って、スクリーン１０４に表示すべき画像データを準備する機能を有している。図３は、画像処理回路１０の内部構成の概略を示す説明図である。画像処理回路１０は、映像信号変換回路２００と、セレクタ２１０と、書込・読出制御部２２０と、メニュー画面表示制御部２３０とを備えている。
【００２６】
図１の接続端子２に画像供給装置が接続されている場合には、映像信号変換回路２００には、接続端子２を介して、アナログ画像信号ＡＶ１が供給される。映像信号変換回路２００は、入力されたアナログ画像信号ＡＶ１をＡＤ変換して、ＡＤ変換された画像データＥＤ（以下、「外部画像データ」とも呼ぶ）を出力する。なお、アナログ画像信号ＡＶ１としては、例えば、パーソナルコンピュータから出力されたコンピュータ画面を表すＲＧＢ信号や、ビデオレコーダやテレビから出力された動画を表すコンポジット画像信号などの画像信号が供給される。
【００２７】
セレクタ２１０には、映像信号変換回路２００から出力された外部画像データＥＤと、メモリカード４２（図２）からバス２０ａを介して供給される画像データＭＤ（以下、「メモリ画像データ」とも呼ぶ）とが供給される。なお、メモリカード４２に記録されたメモリ画像データＭＤは、ＣＰＵ２０の指令により、メモリ制御装置４０によって読み出される。セレクタ２１０は、ＣＰＵ２０からバス２０ａを介して入力されるセレクト信号ＳＥＬに従って、外部画像データＥＤとメモリ画像データＭＤとのいずれか一方を選択して、デジタル画像データＳＤ１として出力する。ただし、接続端子２に画像供給装置が接続されておらず、かつ、メモリ制御装置４０に、メモリカード４２が接続されているときには、自動的にメモリ画像データＭＤが選択される。
【００２８】
書込・読出制御部２２０は、セレクタ２１０から出力されたデジタル画像データＳＤ１を、フレームメモリ２２に書き込んだり、フレームメモリ２２に書き込まれた画像データを読み出したりする機能を有している。なお、書込・読出制御部２２０における画像データの書込処理および読出処理は、書込・読出制御部２２０内部で生成される制御信号に基づいて行われる。フレームメモリ２２から読み出された画像データは、デジタル画像データＤＶ１として出力される。
【００２９】
メニュー画面表示制御部２３０は、メニュー画面を表すメニュー画面表示データＭＮＤを出力する機能を有している。メニュー画面表示制御部２３０には、書込・読出制御部２２０から出力されたデジタル画像データＤＶ１が入力されており、入力されたデジタル画像データＤＶ１とメニュー画面表示データＭＮＤとのいずれか一方を出力する。メニュー画面表示データＭＮＤによって表されるメニュー画面を用いることにより、投写型表示装置における画像の表示条件（画質等）等の種々の設定を行うことが可能である。また、本実施例においては、メニュー画面を用いることにより、メモリカード４２内の処理プログラムを編集することが可能である（後述する）。なお、メニュー画面表示制御部２３０は、バス２０ａを介してＣＰＵ２０によって制御されている。このメニュー画面表示制御部２３０とＣＰＵ２０とが、本発明における処理プログラム編集部に相当する。
【００３０】
図２の液晶パネル駆動回路１４は、画像処理回路１０から供給されたデジタル画像データＤＶ１またはメニュー画面表示データＭＮＤに応じて、液晶パネル１６を駆動するのに適した駆動信号ＤＳを出力する。液晶パネル１６は、入力された駆動信号ＤＳに基づいて、各画素を駆動し、照明光学系１００から射出された照明光を画素毎に変調する。これにより、液晶パネル１６を透過した光は、パネル面に画像光を形成する。液晶パネル１６によって形成された画像光は、投写光学系１０２によりスクリーン１０４に向けて投写され、スクリーン１０４上に画像が表示される。
【００３１】
なお、本実施例の投写型表示装置においては、ユーザからの指令、例えば、上記のメニュー画面の表示等は、主としてリモコン３２を用いて行われる。リモコン制御部３０（図２）は、リモコン３２からの指令を受け取り、ＣＰＵ２０に指令を伝える。なお、リモコン３２に代えて、あるいは、リモコン３２とともに、投写型表示装置本体にボタン等の他の入力装置を設けるようにしてもよい。
【００３２】
図４は、図２のメモリカード４２に記録されている各種データを示す説明図である。なお、メモリカード４２内の各種データは、予め、パーソナルコンピュータを用いて準備されたものである。図４のメモリカード４２には、投写型表示装置における処理手順を示す処理プログラムＰＲ１の他に、画像データ（Picture1,Picture2,Picture3,…）や、音声データ（Wave1,Wave2,Wave3,…）、定型画像データ（Pattern1,Pattern2,Pattern3,…）などの種々のデータＤＤが含まれている。画像データ（Picture1,Picture2,Picture3,…）としては、例えば、プレゼンテーションシートなどの画像を表すデータが記憶されている。また、定型画像データとしては、例えば、全面黒の「べた」画像や、会社のロゴマークの画像などを表すデータが記憶されている。音声データ（Wave1,Wave2,Wave3,…）としては、プレゼンテーションの内容説明等を録音したものが記憶されている。また、上記のようなデータＤＤ以外のデータ、例えば、動画データを記憶するようにしてもよい。なお、メモリカード４２内に記憶された種々のデータＤＤのうち、画像データ（Picture1,Picture2,Picture3,…）や、定型画像データ（Pattern1,Pattern2,Pattern3,…）などの画像を表すデータが、前述のメモリ画像データＭＤに相当する。
【００３３】
図５は、図４に示す処理プログラムＰＲ１の内容を示す説明図である。本実施例における処理プログラムＰＲ１としては、図５に示すようなテキスト形式のスクリプトファイルが用いられている。なお、図５の右方に示された符号「Ｌ１」等は、行番号を示す便宜上の符号であり、実際のスクリプトファイルには含まれていない。行番号Ｌ１の「Begin」および行番号Ｌ１５の「End」は、それぞれ処理プログラムＰＲ１の開始と終了を意味しており、実際には、行番号Ｌ１の「Begin」と行番号Ｌ１５の「End」とで囲まれた行番号Ｌ２〜Ｌ１４についての処理が実行される。
【００３４】
図６は、図５に示す処理プログラムＰＲ１を用いた場合の投写型表示装置の処理手順を示すフローチャートである。ただし、ステップＳ１０１，Ｓ１０２の処理は、処理プログラムＰＲ１に従って実行される処理ではない。なお、図６に示す処理手順は、ステップＳ１０１の処理前に、投写型表示装置の少なくとも一部がスリープ状態となっている場合について示しており、このとき、画像はスクリーン１０４上に表示されない。
【００３５】
ユーザがメモリ制御装置４０（図２）にメモリカード４２を装着すると、ステップＳ１０１において、メモリ制御装置４０にメモリカード４２が装着されたことが検出される。メモリカード４２の検出は、例えば、メモリ制御装置４０内部に図示しないメカニカルスイッチを設けておき、メモリカード４２の装着によりスイッチが「ＯＮ」状態となるようにして行えばよい。あるいは、メモリ制御装置４０内部にセンサを設けておき、メモリカード４２が装着されたか否かを判断するようにすればよい。ステップＳ１０１においてメモリカード４２が検出されると、ステップＳ１０２に進む。
【００３６】
ステップＳ１０２では、ＣＰＵ２０（図２）が、メモリカード４２に記憶された処理プログラムＰＲ１（図５）を図示しないＲＡＭに転送し、処理プログラムＰＲ１の実行を開始する。この説明からも分かるように、少なくともメモリ制御装置４０内に備えられたメモリカード検出機能はスリープ状態となっていない。本実施例においては、画像処理回路１０と液晶パネル駆動回路１４と液晶パネル１６とランプ１０１とがスリープ状態となっている。
【００３７】
なお、本明細書において、「スリープ状態」とは、ハードウェア回路が通常の動作状態となっていない状態を意味する。本実施例においては、上記の画像処理回路１０と液晶パネル駆動回路１４と液晶パネル１６とのスリープ状態は、クロック信号等の制御信号を調整することによって、具体的には、クロック信号を止めることによって実現されている。また、ランプ１０１のスリープ状態は電力供給を中止することによって実現されている。なお、ハードウェア回路によっては、クロック信号の周波数を低下させることによってスリープ状態になるものもある。他には、光源であるランプ１０１に供給する電力を制御して表示される画像の輝度を小さくしたり、あるいは、投写型表示装置に備え付けられた冷却ファンの制御をすることも可能である。
【００３８】
ステップＳ１０３では、処理プログラムＰＲ１（図５）の行番号Ｌ２の処理が実行される。行番号Ｌ２の「Power ON」コマンドは、投写型表示装置全体をスタンバイ状態とするためのコマンドである。具体的には、上記のスリープ状態となっていた各部に制御信号や電源などを供給することにより、通常の動作状態であるスタンバイ状態とする。投写型表示装置がスタンバイ状態となると、スクリーン１０４上に画像を表示することが可能となる。
【００３９】
ステップＳ１０４では、処理プログラムＰＲ１（図５）の行番号Ｌ３の処理が実行される。行番号Ｌ３の「Set Source」コマンドは、画像処理回路１０（図３）が、フレームメモリ２２に書き込む画像データのソースを設定するためのコマンドである。すなわち、図３において説明したように、画像処理回路１０に入力されるアナログ画像信号ＡＶ１に基づく外部画像データＥＤと、メモリカード４２から読み出されたメモリ画像データＭＤとのいずれか一方を入力ソースとして設定する。行番号Ｌ３では、「Set Source」コマンドに続きメモリカード４２を意味する「CARD」が指定されているため、メモリカード４２に記憶されたメモリ画像データＭＤが入力ソースとして、設定される。
【００４０】
ステップＳ１０５では、処理プログラムＰＲ１（図５）の行番号Ｌ４の処理が実行される。行番号Ｌ４の「Display」コマンドは、ステップＳ１０４で設定された入力ソースであるメモリカード４２（図４）内のメモリ画像データを表示するためのコマンドである。行番号Ｌ４では、「Display」コマンドに続き「Picture1」が指定されているため、メモリカード４２（図４）内のメモリ画像データ「Picture1」が表示される。具体的には、ＣＰＵ２０によってメモリカード４２（図４）内から「Picture1」が読み出され、画像処理回路１０によってフレームメモリ２２内にメモリ画像データ「Picture1」が書き込まれる。このとき、画像処理回路１０はデジタル画像データＤＶ１としてメモリ画像データ「Picture1」を出力するので、スクリーン１０４上にはメモリ画像データ「Picture1」によって表される画像が表示されることとなる。
【００４１】
また、ステップＳ１０５では、処理プログラムＰＲ１の行番号Ｌ５の処理が実行される。行番号Ｌ５の「Wait」コマンドは、その前の処理（図５においては行番号Ｌ４の処理）が実行された状態を維持するためのコマンドである。本実施例では、その前の処理の維持は、「msec」単位で指定されている。ステップＳ１０５では、行番号Ｌ４の処理によって実行されたメモリ画像データ「Picture1」の表示を、行番号Ｌ５で指定された「10000msec」間維持する。このように、「Wait」コマンドを用いることにより、画像を表示する時間を設定することができるので、プレゼンテーションシートを所定の時間で自動送りすることが可能となる。
【００４２】
ステップＳ１０６では、処理プログラムＰＲ１（図５）の行番号Ｌ６の処理が実行される。行番号Ｌ６の「Play」コマンドは、ステップＳ１０４（行番号Ｌ３）で設定された入力ソースであるメモリカード４２（図４）内の音声データを再生するためのコマンドである。行番号Ｌ６では、「Play」コマンドに続き「Wave2」が指定されているため、メモリカード４２（図４）内の音声データ「Wave2」が再生される。具体的には、ＣＰＵによってメモリカード４２（図４）内から音声データ「Wave2」が読み出され、スピーカ５０（図２）によって音声データ「Wave2」が再生される。
【００４３】
次に、ステップＳ１０７では、処理プログラムＰＲ１（図５）の行番号Ｌ７の処理が実行される。行番号Ｌ７では、「Display」コマンドに続いて「Picture3」が指定されているため、ステップＳ１０５（行番号Ｌ４）と同様に、スクリーン１０４上には、メモリカード４２（図４）内のメモリ画像データ「Picture3」が表示される。
【００４４】
ステップＳ１０８では、処理プログラムＰＲ１（図５）の行番号Ｌ８の処理が実行される。行番号Ｌ８の「Pause」コマンドは、ユーザからの入力があるまで、その前の処理（図５においては行番号Ｌ７の処理）が実行された状態を維持するためのコマンドである。このとき、ＣＰＵ２０は、処理プログラムＰＲ１の処理を一時停止する。この一時停止状態は、ユーザがリモコン３２（図２）を用いて、何らかの入力を行うことによって解除され、解除されるとステップＳ１０９に進む。
【００４５】
ステップＳ１０９では、処理プログラムＰＲ１（図５）の行番号Ｌ９の処理が実行される。行番号Ｌ９では、「Set Source」コマンドに続きアナログ画像信号ＡＶ１に基づく外部画像データＥＤを意味する「VIDEO」が指定されている。このとき、ＣＰＵ２０は、画像処理回路１０に供給される外部画像データＥＤを入力ソースとして設定する。すなわち、ステップ１０４（行番号Ｌ３）において設定された入力ソース（「CARD」）を「VIDEO」に変更する。このとき、画像処理回路１０はフレームメモリ２２に外部画像データＥＤを書き込むので、スクリーン１０４上には外部画像データＥＤによって表される画像が表示されることとなる。なお、外部画像データとしては、例えば、ビデオカメラ等によって撮像された商品サンプル等を表示させることができる。
【００４６】
ステップＳ１１０では、処理プログラムＰＲ１（図５）の行番号Ｌ１０の処理が実行される。行番号Ｌ１０では、「Pause」コマンドが記されているので、ステップＳ１０８（行番号Ｌ８）と同様に、処理プログラムＰＲ１の処理は一時停止される。リモコン３２等からの入力があると、一時停止状態は解除され、ステップＳ１１１に進む。
【００４７】
ステップＳ１１１では、処理プログラムＰＲ１（図５）の行番号Ｌ１１の処理が実行される。行番号Ｌ１１では、「Set Source」コマンドに続きメモリカード４２を意味する「CARD」が指定されているので、画像処理回路１０は、再度、メモリカード４２から供給されるメモリ画像データＭＤを入力ソースとして選択する。
【００４８】
ステップＳ１１２では、処理プログラムＰＲ１（図５）の行番号Ｌ１２の処理が実行される。行番号Ｌ１２では、「Display」コマンドに続き「Picture2」が指定されている。このとき、上記のステップＳ１０５（行番号Ｌ４）と同様にして、スクリーン１０４上にはメモリ画像データ「Picture2」によって表される画像が表示される。
【００４９】
また、ステップＳ１１２では、処理プログラムＰＲ１の行番号Ｌ１３の処理が実行される。行番号Ｌ１３では、「Wait」コマンドに続き「10000msec」が指定されている。このとき、上記のステップＳ１０５（行番号Ｌ５）と同様にして、スクリーン１０４上にはメモリ画像データ「Picture2」によって表される画像が10000msec間表示されることとなる。
【００５０】
ステップＳ１１３では、処理プログラムＰＲ１（図５）の行番号Ｌ１４の処理が実行される。行番号Ｌ１４の「Power OFF」コマンドは、投写型表示装置の少なくとも一部をスリープ状態とするための処理である。本実施例では、前述したように、画像処理回路１０と液晶パネル駆動回路１４と液晶パネル１６とランプ１０１との機能がスリープ状態となる。スリープ状態となったとき、画像はスクリーン１０４上に表示されない。
【００５１】
上記のようにして、図５に示す処理プログラムの内容が実行される。なお、図５において用いられているコマンド（「Power ON」，「Power OFF」，[Set Source」，「Display」，「Play」，「Pause」，「Wait」）以外の、他のコマンドを用いるようにしてもよい。例えば、上記の行番号Ｌ２〜Ｌ１４のうちの全部あるいは一部の処理を繰り返し行う「Repeat」コマンドを用いるようにしてもよい。また、処理プログラムの実行を中断する「Stop」コマンドや、処理プログラムの実行を再開する「Restart」コマンドなどを準備してもよい。
【００５２】
また、図６の処理では、ステップＳ１０１の処理前に、投写型表示装置の少なくとも一部がスリープ状態となっている場合について説明したが、投写型表示装置全体がスタンバイ状態である場合にも、図５と同じ処理プログラムＰＲ１を用いることができる。すなわち、投写型表示装置がスタンバイ状態である場合には、処理プログラムＰＲ１の行番号Ｌ２（ステップＳ１０３）の処理は不要であるため、行番号２の処理を無視するようにすればよい。
【００５３】
上記のように、本実施例の投写型表示装置は、処理プログラムに記述された命令に従って、ハードウェア回路の動作の制御を行う。本明細書において、ハードウェア回路の動作の制御には、ハードウェア回路に供給するクロック信号等の制御信号を調整することによる制御を含む。したがって、ハードウェア回路をスリープ状態やスタンバイ状態とするための制御信号を調整することによる制御のみでなく、入力ソースの切り替え等を行うための制御信号を調整することによる制御も含まれる。さらに、ハードウェア回路の動作の制御には、ハードウェア回路をスリープ状態やスタンバイ状態とするような電力供給回路の制御も含まれる。このように、処理プログラムの命令に従ってハードウェア回路の動作の制御を行うことにより、自動的に投写型表示装置を動作させたり、停止させたりすることができるという利点がある。なお、本実施例においては、前述のように、電力供給の制御と制御信号を調整することによる制御とを用いて、投写型表示装置内のハードウェア回路のスリープ状態あるいはスタンバイ状態を実現させているが、電力供給回路の制御のみ、あるいは、制御信号を調整することによる制御のみによってスリープ状態やスタンバイ状態を実現させてもよい。
【００５４】
図７は、処理プログラムを編集するためのメニュー画面を示す説明図である。図７に示す処理プログラム編集画面ＰＥＭは、図３に示すメニュー画面表示制御部２３０から出力されたメニュー画面表示データＭＮＤに従ってスクリーン１０４上に表示された画像である。
【００５５】
処理プログラム編集画面ＰＥＭには、処理プログラムの内容を表示するスクリプト表示領域ＳＷ１が含まれている。図７のスクリプト表示領域ＳＷ１内には、図５と同じ処理プログラムＰＲ１が表示されている。
【００５６】
また、処理プログラム編集画面ＰＥＭには、投写型表示装置において表示可能な種々の画像Ｐａ，Ｐｂ，Ｐｃ…がプレビュー表示される。本実施例においては、図３に示すセレクタ２１０に入力される画像データが、表示可能な画像データである。したがって、処理プログラム編集画面ＰＥＭには、メモリ画像データＭＤと外部画像データＥＤとによって表される画像がプレビュー表示される。メモリ画像データＭＤとしては、図４に示すメモリカード４２内に含まれる画像データ（Picture1,Picture2,Picture3,…）と、定型画像データ（Pattern1,Pattern2,Pattern3,…）とによって表される画像がプレビュー表示されている。また、外部画像データＥＤとしては、アナログ画像信号ＡＶ１（「VIDEO」）によって表される画像がプレビュー表示されている。なお、図７に示す各画像Ｐａ，Ｐｂ，Ｐｃ，…は、メニュー画面表示制御部２３０（図３）とＣＰＵ２０とが協力して各画像データを収集することによって表示される。
【００５７】
処理プログラム編集画面ＰＥＭにおいては、画面内に表示される種々の画像Ｐａ，Ｐｂ，Ｐｃ，…をリモコン３２を用いて指定することにより、スクリプト表示領域ＳＷ１に表示されている処理プログラムを編集することが可能である。具体的には、ユーザが、まず、スクリプト表示領域ＳＷ１内に表示された処理プログラムＰＲ１の中の編集したい行をリモコン３２を用いて指定する。図７では、行番号Ｌ７（斜線部）が指定された場合が示されている。例えば、行番号Ｌ７において表示される画像（「Picture3」）を、プレビュー表示された画像Ｐｄ（画像データ「Picture4」）に変更する場合には、リモコン３２の図示しない「変更ボタン」を選択した後に、プレビュー表示された画像Ｐｄをリモコン３２で指定する。これにより、行番号Ｌ７の画像データ「Picture3」が画像データ「Picture4」に変更される。同様にして、処理プログラムＰＲ１内の表示すべき画像データを追加したり、削除したりすることも可能である。このように、リモコン３２の操作のみで、容易に処理プログラムを編集することが可能である。また、処理プログラム編集画面ＰＥＭには、表示可能な画像がプレビュー表示されているため、視覚的に確認しながら処理プログラムを編集できるという利点がある。
【００５８】
このように編集された処理プログラムは、メモリ制御装置４０によってメモリカード４２に書き込むことができ、編集後の処理プログラムに従って処理を実行することが可能である。
【００５９】
以上、説明したように、本発明の投写型表示装置は、メモリカード４２に記憶された処理プログラムの命令に従って、メモリカード４２に記憶されたメモリ画像データ等を用いて画像を表示することができる。したがって、コンピュータを接続しない状態で投写型表示装置における一連の処理を自動的に実行し、画像を投写表示することが可能となる。
【００６０】
Ｂ．第２実施例：
図８は、第２実施例における投写型表示装置の全体構成を示すブロック図である。本実施例の装置では、図２に示す装置に、画像重畳回路１２と、装飾画像メモリ２４と、装飾画像展開メモリ２６とが追加されている。なお、追加された画像重畳回路１２と装飾画像メモリ２４と装飾画像展開メモリ２６以外の各部の機能は、図２の各部の機能とほぼ同じであるため、詳細な説明は省略する。なお、本実施例における画像処理回路１０と、液晶パネル駆動回路１４と、ＣＰＵ２０と、フレームメモリ２２と、リモコン制御部３０と、画像重畳回路１２と、装飾画像メモリ２４と、装飾画像展開メモリ２６とが、本発明における画像処理部に相当する。
【００６１】
装飾画像メモリ２４は、画像処理回路１０から出力されたデジタル画像データＤＶ１に重畳するための装飾画像データを格納するメモリである。ここで、装飾画像データとは、デジタル画像データＤＶ１によって表される画像を装飾するために用いられる画像データであり、例えば、マーカ画像や指差し画像、リング形状の画像等の種々の画像データが用いられる。本実施例においては、これらの装飾画像データは、圧縮されて装飾画像メモリ２４に格納されている。また、装飾画像メモリ２４内の装飾画像データは、ビットマップ形式で展開され、装飾画像展開データＳＰとして装飾画像展開メモリ２６に格納される。装飾画像展開データＳＰは、画像重畳回路１２に供給され、デジタル画像データＤＶ１との重畳処理に用いられる。装飾画像データの展開処理および画像重畳回路１２への供給処理は、ＣＰＵ２０によって実行される。
【００６２】
なお、本実施例においては、装飾画像メモリ２４に格納された装飾画像データは、装飾画像展開メモリ２６内に展開されているが、装飾画像メモリ２４内に展開されるようにしてもよい。この場合には、装飾画像展開メモリ２６は省略できる。また、装飾画像メモリ２４に格納された装飾画像データは、圧縮されていなくてもよい。ただし、圧縮する場合には、装飾画像メモリ２４に要するデータ容量を小さくできるという利点がある。
【００６３】
画像重畳回路１２には、画像処理回路１０から供給されるデジタル画像データＤＶ１と、装飾画像展開メモリ２６から供給される装飾画像展開データＳＰとが入力されている。画像重畳回路１２は、デジタル画像データＤＶ１に、装飾画像展開データＳＰを重畳する機能を有している。画像重畳回路１２は、内部に図示しないセレクタを備えており、セレクタの切替動作によって重畳処理が実行される。なお、このセレクタの切替動作は、バス２０ａを介してＣＰＵ２０から供給される切替信号に従って行われる。具体的には、デジタル画像データＤＶ１によって表される画像内の所定の位置において、セレクタの切替動作を行うことにより、装飾画像展開データＳＰによって表される画像を重畳する。これにより、装飾画像展開データＳＰが重畳された重畳画像データＳＤＶ１を得ることができる。
【００６４】
図９は、装飾画像の重畳処理を実行する処理プログラムＰＲ２の一例を示す説明図である。この処理プログラムＰＲ２では、図５に示す処理プログラムＰＲ１の行番号Ｌ９（Set Source "VIDEO"）に代えて、行番号Ｌ９〜Ｌ１１の処理が記述されている。処理プログラムＰＲ２の行番号Ｌ９〜Ｌ１１の処理は、画像重畳回路１２に供給されたデジタル画像データＤＶ１に装飾画像展開データＳＰを重畳させて表示するための処理である。
【００６５】
処理プログラムＰＲ２の行番号Ｌ９では、重畳される装飾画像データのソースを設定するための「Superimpose Source」コマンドが記述されている。また、このコマンドに続いて、装飾画像メモリ２４を意味する「MEM」が指定されている。すなわち、装飾画像メモリ２４が装飾画像の入力ソースとして設定されている。行番号Ｌ１０では、装飾画像の重畳位置（範囲）を決定する「Coordinete」コマンドが記述されている。また、このコマンドに続いて記述されている座標値「400,160,600,200」により装飾画像の重畳位置が設定されている。なお、本実施例の座標値は、液晶パネルの表示領域を「８００×６００」とした場合の値であり、座標値「400,160,600,200」によって、重畳範囲の始点である第１の座標値（４００，１６０）と終点である第２の座標値（６００，２００）とが指定される。次の行番号Ｌ１０において、「Display」コマンドに続き装飾画像データを指定するデータ名「Dec1」が記述されている。これにより、行番号Ｌ１０で指定された重畳位置に、装飾画像データ「Dec1」が重畳されてスクリーン１０４上に重畳画像が表示されることとなる。なお、行番号Ｌ１１までの処理が終了したとき、画像重畳回路１２から出力された重畳画像データＳＤＶ１によって表される画像は、行番号Ｌ７の画像データ「Picture3」によって表される画像に、装飾画像データ「Dec1」によって表される画像が重畳された重畳画像である。
【００６６】
図１０は、図９に示す処理プログラムＰＲ２の行番号Ｌ１１の処理が実行された後に、画像重畳回路１２（図８）から出力された重畳画像データＳＤＶ１によって表される画像を示す説明図である。図９に示す処理プログラムＰＲ２の行番号Ｌ１１が実行されたときには、上記のように、行番号Ｌ７の画像データ「Picture3」によって表される画像に、装飾画像データ「Dec1」によって表される画像が重畳された重畳画像が表示される。したがって、図１０に示す「Ａ  Ｂ  Ｃ  ・・・」の文書画像が画像データ「Picture3」によって表される画像であり、マーカ画像（図中、斜線部）が装飾画像データ「Dec1」によって表される画像である。図１０に示すように、装飾画像は、図９の処理プログラムで指定された位置に重畳されている。すなわち、行番号Ｌ１０で指定された第１の座標値（４００，１６０）と第２の座標値（６００，２００）とで決定される範囲に装飾画像が重畳されている。
【００６７】
図１１は、画像重畳回路１２（図８）から出力された重畳画像データＳＤＶ１によって表される他の画像を示す説明図である。図１１においては、棒グラフの画像が画像重畳回路１２に入力されたデジタル画像データＤＶ１によって表される画像に相当し、指差し図形の画像が装飾画像メモリ２４から供給された装飾画像データによって表される画像に相当する。なお、図中、斜線が付されている指差し図形の周辺部では、デジタル画像データＤＶ１によって表される画像が表示されている。すなわち、装飾画像としては、図１０に示すような矩形の画像に限らず任意の形状のものを表示することができる。これは、斜線部を含む矩形の装飾画像展開データＳＰの斜線部の画素データとして、所定の画素情報を与えておくことによって実現できる。例えば、斜線部の特定の画素情報として、通常用いられないような画素データ（例えば、全ビット「０」）や、フラグなどを与えておき、そのような画素情報を有する画素については重畳しないようにすればよい。これにより、任意の形状を有する装飾画像を重畳することが可能となる。
【００６８】
上記のように、画像処理回路１０から出力されたデジタル画像データＤＶ１によって表される画像に、装飾効果画像を重畳できるようにすれば、プレゼンテーションシート等を効果的に装飾して表示することが可能となる。
【００６９】
なお、この発明は上記の実施例や実施形態に限られるものではなく、その要旨を逸脱しない範囲において種々の態様において実施することが可能であり、例えば次のような変形も可能である。
【００７０】
（１）上記実施例においては、図１に示すように、投写型表示装置１がメモリスロット３を１つのみ備える場合について説明したが、メモリスロットは複数備えるようにしてもよい。こうすれば、複数のメモリを用いることができるので、投写型表示装置において多数の画像データを投写表示することが可能となる。この場合には、例えば、いずれか１つのメモリにのみ処理プログラムを記録しておき、他のメモリを入力ソースとして設定することにより、他のメモリに記憶されたメモリ画像データ等を用いることができる。
【００７１】
また、上記実施例においては、投写型表示装置の外部から供給される画像データとしては、アナログ画像信号ＡＶ１に基づく外部画像データＥＤのみであるが、その他の画像データを供給できるようにしてもよい。
【００７２】
（２）上記第１および第２実施例においては、画像処理回路１０は、アナログ画像信号ＡＶ１に基づく外部画像データＥＤと、メモリカード４２から供給されたメモリ画像データＭＤとの、いずれか一方を選択してフレームメモリ２２に書き込むようにしているが、フレームメモリ２２に書き込む画像データとしては、双方が合成された画像データを用いるようにしてもよい。この場合には、図９の行番号Ｌ９〜Ｌ１１に示すように、「Superimpose」コマンドを用いて重畳処理を行うようにすればよい。なお、この場合には、画像処理回路１０において重畳処理が実行されることとなる。
【００７３】
また、上記第２実施例においては、重畳画像データＳＤＶ１は、画像重畳回路１２（図８）内の図示しないセレクタによって生成されているが、セレクタに代えて、乗算器と加算器とを用いるようにしてもよい。すなわち、乗算器を介したデジタル画像データＤＶ１と、乗算器を介した装飾画像展開データＳＰとを、加算器で合成するようにすればよい。このとき、２つの乗算器の係数のうち一方を「１」、他方を「０」とすることによって、セレクタと同様の重畳処理を行うことができる。また、２つの乗算器の係数を、例えば、双方「１／２」とすることによって、装飾画像展開データＳＰによって表される画像が、デジタル画像データＤＶ１によって表される画像上に、半透明で重畳されたような重畳画像を得ることができる。
【００７４】
（３）上記実施例では、例えば、図５に示す処理プログラムＰＲ１の行番号Ｌ２において、スタンバイ状態とする際にランプ１０１（図２）も点灯させているが、ランプ１０１は所定の期間の経過後に点灯するようにしてもよい。こうすれば、ランプ１０１が点灯したときに、液晶パネル１６に表示すべき画像データがまだ供給されていないという状況を回避することができる。あるいは、ランプ１０１が点灯した直後には、全面黒のべた画像を初期画面として強制的表示させるようにしてもよい。
【００７５】
（４）上記実施例においては、投写型表示装置の電気光学装置として液晶パネル１６を用いているが、これに限られない。すなわち、電気光学装置としては、液晶パネルに限られず、マイクロミラー型光変調装置やＣＲＴなどを用いることができる。なお、マイクロミラー型光変調装置としては、例えば、ＤＭＤ（デジタルマイクロミラーデバイス）（ＴＩ社の商標）を用いることができる。
【００７６】
（５）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【図１】本発明の第１実施例としての投写型表示装置を示す説明図である。
【図２】第１実施例における投写型表示装置の全体構成を示すブロック図である。
【図３】画像処理回路１０の内部構成の概略を示す説明図である。
【図４】図２のメモリカード４２に記録されている各種データを示す説明図である。
【図５】図４に示す処理プログラムＰＲ１の内容を示す説明図である。
【図６】図５に示す処理プログラムＰＲ１を用いた場合の投写型表示装置の処理手順を示すフローチャートである。
【図７】処理プログラムを編集するためのメニュー画面を示す説明図である。
【図８】第２実施例における投写型表示装置の全体構成を示すブロック図である。
【図９】装飾画像の重畳処理を実行する処理プログラムＰＲ２の一例を示す説明図である。
【図１０】図９に示す処理プログラムＰＲ２の行番号Ｌ１１の処理が実行された後に、画像重畳回路１２（図８）から出力された重畳画像データＳＤＶ１によって表される画像を示す説明図である。
【図１１】画像重畳回路１２（図８）から出力された重畳画像データＳＤＶ１によって表される他の画像を示す説明図である。
【符号の説明】
１…投写型表示装置
２…接続端子
３…メモリスロット
１０…画像処理回路
１２…画像重畳回路
１４…液晶パネル駆動回路
１６…液晶パネル
２０…ＣＰＵ
２０ａ…バス
２２…フレームメモリ
２４…装飾画像メモリ
２６…装飾画像展開メモリ
３０…リモコン制御部
３２…リモコン
４０…メモリ制御装置
４２…メモリカード
５０…スピーカ
１００，１０２…光学系
１００…照明光学系
１０１…ランプ
１０２…投写光学系
１０４…スクリーン
２００…映像信号変換回路
２１０…セレクタ
２２０…書込・読出制御部
２３０…メニュー画面表示制御部
ＰＥＭ…処理プログラム編集画面
ＳＷ１…スクリプト表示領域
【図１】
0003644295.tif 000002
【図２】
0003644295.tif 000003
【図３】
0003644295.tif 000004
【図４】
0003644295.tif 000005
【図５】
0003644295.tif 000006
【図６】
0003644295.tif 000007
【図７】
0003644295.tif 000008
【図８】
0003644295.tif 000009
【図９】
0003644295.tif 000010
【図１０】
0003644295.tif 000011
【図１１】
0003644295.tif 000012